(57)【要約】【課題】導光板３と、導光板３の周縁を囲んで取り付けられた枠体１とを備え、枠体１内に、導光板３の側端面である受光面８に対向して、複数の発光ダイオード１２を有する光源ユニット７が設けられ、発光ダイオード１２から受光面８を介して導光板３内に入射した光を導光板３の発光面から放出する発光表示板において、温度変化による導光板３の伸縮に拘わらず、導光板３の受光面８と発光ダイオード１２の間隔を一定に維持できるようにし、発光面が常に一定の明るさを保持できるようにする。【解決手段】光源ユニット７を、受光面８との対向方向に移動可能な光源支持体１３に取り付けて枠体１内に設けると共に、光源支持体１３を、受光面８に対して弾性的に押し付け、導光板３の伸縮に伴って進退可能とする。【選択図】図２
2009300897.tif 000002
【特許請求の範囲】
【請求項１】
導光板と、導光板の周縁を囲んで取り付けられた枠体とを備え、枠体内に、導光板の側端面である受光面に対向して、複数の発光ダイオードを有する光源ユニットが設けられ、発光ダイオードから受光面を介して導光板内に入射した光を導光板の片面又は両面から放出する発光表示板において、
光源ユニットが、受光面との対向方向に移動可能な光源支持体に取り付けられて、少なくとも導光板の一辺に沿った枠体内に設けられていると共に、光源支持体が、受光面に対して弾性的に押し付けられていることを特徴とする発光表示板。
【請求項２】
光源支持体が、光源支持体を押圧する、側面波形をなす帯状バネによって、受光面に対して弾性的に押し付けられていることを特徴とする請求項１に記載の発光表示板。
【請求項３】
光源支持体に取り付けられた光源ユニットが、導光板の相対向する二辺に沿った枠体内に設けられていることを特徴とする請求項１又は２に記載の発光表示板。
【発明の詳細な説明】
【技術分野】
【０００１】
本発明は、例えば看板、駅名表示板、時刻表掲示板、案内板などに適した発光源を有する平板状の表示板で、特に光源として発光ダイオードを用いた発光表示板に関する。
【背景技術】
【０００２】
従来、光源として発光ダイオードを用いた発光表示板として、導光板の縁部に設けられた枠体内に、導光板の側端面である受光面に対向して、複数の発光ダイオードを有する光源ユニットを取り付け、発光ダイオードから受光面を介して導光板内に入射した光を導光板の片面又は両面から放出できるようにしたものが知られている（特許文献１の段落〔００１７〕〜〔００２０〕、図１及び図３参照）。
【０００３】
更に説明すると、特許文献１の発光表示板は、四角形をなすアクリル樹脂製の導光板の相対向する二辺に、内部の一定位置に光源ユニットが固定されたアルミニウム製の枠体が取り付けられており、残る導光板の二辺に、平板状の枠体（引用文献１では「蓋体」）が光源ユニットを内蔵する枠体に連結されて取り付けられたものとなっている（特許文献１の段落〔００２２〕及び〔００２７〕、図１及び図３参照）。
【０００４】
【特許文献１】特開２００７−４１６２２号公報
【発明の開示】
【発明が解決しようとする課題】
【０００５】
ところで、光源として発光ダイオードを用いた場合、発光ダイオードが導光板の受光面から離れていると、発光ダイオードから照射された光が周囲に散乱しやすくなって、導光板内に入射する光が減り、導光板の発光面から放出される光の量が不十分となりやすくなる。このため、導光板の受光面と発光ダイオードはできるだけ接近した配置とすることが好ましい。
【０００６】
しかしながら、温度変化によって導光板が伸縮すると、その周縁を囲んでいる枠体との熱膨張係数の相違から、導光板の受光面と、枠体に固定されている光源ユニットの発光ダイオードとの間隔が変化し、導光板の発光面から放出される光の量が変動してしまう問題がある。また、場合によっては、膨張した導光板によって発光ダイオードが圧迫され、損傷してしまうことも生じる。
【０００７】
本発明は、上記従来の問題点に鑑みてなされたもので、温度変化による導光板の伸縮に拘わらず、導光板の受光面と発光ダイオードの間隔を一定に維持できるようにし、発光面が常に一定の明るさを保持できるようにすることを目的とする。
【課題を解決するための手段】
【０００８】
上記目的のために、本発明は、導光板と、導光板の周縁を囲んで取り付けられた枠体とを備え、枠体内に、導光板の側端面である受光面に対向して、複数の発光ダイオードを有する光源ユニットが設けられ、発光ダイオードから受光面を介して導光板内に入射した光を導光板の片面又は両面から放出する発光表示板において、
光源ユニットが、受光面との対向方向に移動可能な光源支持体に取り付けられて、少なくとも導光板の一辺に沿った枠体内に設けられていると共に、光源支持体が、受光面に対して弾性的に押し付けられていることを特徴とする発光表示板を提供するものである。
【０００９】
また、上記本発明は、光源支持体が、光源支持体を後方から押圧する、側面波形をなす帯状スプリングによって、受光面に対して弾性的に押し付けられていること、
光源支持体に取り付けられた光源ユニットが、導光板の相対向する二辺に沿った枠体内に設けられていること
を好ましい態様として含むものである。
【発明の効果】
【００１０】
光源ユニットが取り付けられた光源支持体が、受光面と光源ユニットの対向方向に移動可能で、しかも受光面に対して弾性的に押し付けられていることから、温度変化で導光板が伸縮すると、これに追従して進退し、光源ユニットの発光ダイオードと、導光板の受光面との間隔を一定に維持する。したがって、周囲の温度に拘わらず、発光ダイオードから一定量の光を受光面を介して導光板中に入射させることができ、導光板の光の放出面（発光面）から一定量の光を放出させることで、一定の明るさを保持することができる。
【００１１】
また、光源支持体の受光面への押し付けを、側面波形をなす帯状バネによって行うと、細長い光源支持体を安定して受光面へ押し付けることができる。
【００１２】
更に、光源支持体に取り付けられた光源ユニットを、導光板の相対向する二辺に沿った枠体内に設けておくと、発光面全面を均一な明るさに発光させやすくなる。
【発明を実施するための最良の形態】
【００１３】
以下、本発明を、図面に基づいて更に説明する。なお、以下に説明する図面において、同じ符号は同様の部材又は部位を示す。
【００１４】
図１は本発明に係る発光表示板の一例を示す斜視図、図２は図１におけるＡ−Ａ拡大断面図、図３は光源ユニットの斜視図、図４は帯状バネを示す図で、（ａ）は平面図、（ｂ）は側面図である。
【００１５】
図１及び図２に示されるように、本例の発光表示板は、枠体１で囲まれた内側が表示領域となったもので、この表示領域の正面側（図面上の上面側）の最も外側に設けられた保護板２の内側に導光板３が設けられている。本例においては、導光板３の正面側に光拡散シート４、背面側（図面上の下面側）に反射シート５が重ねられており、これらが重ねられた導光板３の周縁を囲んで枠体１が取り付けられている。
【００１６】
本例の導光板３は、長方形をなしており、枠体１は、各辺に沿った４本の直線状の枠体片６ａ〜６ｄと、各コーナー部に設けられた４個の鉤形の枠体片６ｅ〜６ｈに分割されている。各辺に沿った枠体片６ａ〜６ｄは、各コーナー部の枠体片６ｅ〜６ｈを介して連結されている。なお、導光板３は、一般的には長方形が使いやすいが、正方形やその他の矩形とすることもできる。
【００１７】
本例の発光表示板は、透光性のシートに印刷した広告やポスターなどの表示対象にバックライトを当てながら表示するもので、保護板２は、この表示対象を光拡散シート４との間に挟み込むと共に、表示対象を覆って保護するもので、アクリル樹脂、ポリカーボネイトなどの透明な合成樹脂板で構成することができる。この保護板２は、表示形態によっては省略することができる。
【００１８】
導光板３は、後述する光源ユニット７が対向する側端面である受光面８から入射する光をその片面又は両面全体に拡散させて放出するもので、例えば光拡散剤を混入したアクリル樹脂板を用いることができる。光拡散剤としては、例えば球状合成樹脂粒子や、酸化チタンなどの無機粒子を挙げることができる。本例における導光板３は、光拡散シート４が重ねられた正面が、光を放出する発光面で、背面は、反射シート５で光の放出が遮られた非発光面となっている。
【００１９】
光拡散シート４は、導光板３の正面である発光面から放出される光の拡散を促進するためのもので、導光板３での光拡散作用で十分な場合には省略することができる。光拡散シート４としては、例えば光拡散剤を混入したアクリルシートを用いることができる。また、本例の光拡散シート４は導光板３とは別体で、導光板３の発光面側に重ねたものとなっているが、導光板３の発光面に一体に積層しておくこともできる。更には、光拡散シート４の代わりに又は光拡散シート４と併せて、導光板３の発光面に光拡散作用のある層を一体に形成しておくこともできる。
【００２０】
反射シート５は、導光板３の背面である非発光面側から放出される光を発光面側へ反射して、発光面の輝度を向上させるためのもので、本例における導光板３の背面をも発光面とする場合には省略される。反射シート５としては、白色の紙、白色の合成樹脂シート、アルミニウムなどの金属反射層を有する紙又は合成樹脂シートなどを用いることができる。また、本例の反射シート５は導光板３とは別体で、導光板３の非発光面に重ねたものとなっているが、導光板３の非発光面に一体に積層しておくこともできる。更には、反射シート５の代わりに、導光板３の非発光面にアルミニウムなどの金属反射層を蒸着などにより一体に形成しておくこともできる。
【００２１】
枠体１は、例えばアルミニウム、アルミニウム合金などの金属や、強化繊維入りの合成樹脂などで構成することができる。本例においては、枠体１の導光板３の長辺に沿った部分を構成する枠体片６ａと６ｃは同じ構成となっている。また、枠体１の導光板３の短辺に沿った部分を構成する枠体片６ｂと６ｄは、後述する光源ユニット７、光源支持体１３及び帯状バネ１６が設けられていない点を除いて、枠体１の導光板３の長辺に沿った部分を構成する枠体片６ａ，６ｃと同じ構成となっている。
【００２２】
枠体片６ａは、図２に示されるように、本体部９と、本体部９の正面側に設けられた開閉部１０とを備えている。
【００２３】
本体部９は、開口部を導光板３側（枠体１の内側）に向けた断面コ字形をなす棒状部材で、その開口部に、導光板３の縁部が、光拡散シート４及び反射シート５の縁部と共に差し込まれている。
【００２４】
本体部９内には、導光板３の側端面に対向して、光源ユニット７が設けられている。光源ユニット７は、図３に示されるように、基板１１上に複数の発光ダイオード１２を並べて形成したもので、本例における発光ダイオード１２は間隔を開けて一列に形成されている。また、この光源ユニット７が対向する導光板３の側端面は、発光ダイオード１２からの光を導光板３内へ取り入れる受光面８を構成している。光源ユニット７は、発光ダイオード１２との間に僅かな間隔を開けて受光面８と対向している。
【００２５】
上記光源ユニット７は、本体部９内に設けられた光源支持体１３に取り付けられている。光源支持体１３は、上記光源ユニット７と受光面８の対向方向に移動可能に設けられている。光源支持体１３の前部には凹部１４が形成されており、この凹部１４内に発光ダイオード１２を受光面８へ向けた光源ユニットが取り付けられている。また、光源支持体１３の先端部（前側端部）は、受光面８に当接している。すなわち、光源支持体１３の先端部が受光面８に当接した状態で、凹部１４内の光源ユニット７は、発光ダイオード１２と受光面８との間に僅かな隙間を開けて、受光面８と対向している。
【００２６】
なお、本発明において、光源支持体１３の前後とは、光源ユニット７と受光面８の対向方向における受光面８側を前、その反対側を後とする。
【００２７】
光源支持体１３は、光源支持体１３と、本体部９の仕切り壁１５との間に圧縮状態で挟み込まれた帯状バネ１６によって後方から押圧されており、受光面８に当接している光源支持体１３の先端部は、受光面８に弾性的に押し付けられている。このため、導光板３が温度上昇により膨張すると、受光面８のせり出しに伴って光源支持体１３が帯状バネ１６を圧縮して後退し、導光板３が温度降下により収縮すると、受光面８の後退に伴って光源支持体１３が帯状バネ１６に押されて前進し、導光板３の伸縮に伴う受光面８の位置変化に追従することになる。
【００２８】
帯状バネ１６は、図４に示されるように、側面が波形をなすもので、凹凸方向を光源支持体１３の前後方向に向けて、光源支持体１３と仕切り壁１５との間に挟み込まれている。本例の帯状バネ１６は、等脚台形状の凹凸を連ねた波形となっているが、半円形状の凹凸を連ねた波形や、サインカーブ状の波形などとすることもできる。
【００２９】
図２に示されるように、開閉部１０は、本体部９の正面側の外縁部（導光板３とは反対側の縁部）に設けられた支持軸１７周りに傾動可能に取り付けられている。開閉部１０の内側には、開閉部１０の外縁部と内縁部（導光板３側の縁部）間に跨り、正面方向に凸に湾曲された板バネ１８が取り付けられている。この板バネ１８は、開閉部１０を導光板３側に倒した時に、開閉部１０の内縁部を本体部９の内縁部に向かって押し付け、開閉部１０を板バネ１８の力に逆らって一定角度以上立ち上げると、ストッパー（図示されていない）に係止される角度まで開閉部１０を立ち上げる方向に押圧するものとなっている。
【００３０】
開閉部１０は必須の構成ではないが、この開閉部１０を設けておくと、表示対象を安定して保持できると共に、その交換が容易となる。つまり、各枠体片６ａ〜６ｄに設けられた開閉部１０を立ち上げ、保護板２を外せば、その下側に挟み込まれている表示対象を容易に取り出すことができる。そして、新たな表示対象に置き換えて、再び保護板２を被せ、各枠体片６ａ〜６ｄに設けられた開閉部１０を倒して、開閉部１０の内縁部と本体部９内縁部との間に保護板２の周縁部を挟み込めば、安定して表示対象を保持することができる。
【００３１】
以上の例は、導光板３の片面を発光面としたものとなっているが、反射シート５を取り除いて、導光板３の両面を発光面とすることもできる。正面と背面の両面を発光面とする場合、例えば２枚の導光板３，３を、両者間に両面が反射面となった反射シート５を挟み込ませて重ね合わせ、それぞれの導光板３の側端面（受光面８）に対向する光源ユニット７を設けることで、２枚の導光板３，３を含む積層体の両面を発光面とすることもできる。
【００３２】
また、本例では、相対向する導光板３の長辺側の枠体片６ａ，６ｃが光源ユニット７を内蔵するものとなっているが、相対向する短辺側の枠体片６ｂ，６ｄに光源ユニット７を内蔵させたり、いずれか一辺に沿った枠体片６ａ〜６ｄのみに光源ユニット７を内蔵させることもできる。ただし、発光面の均一な明るさが得やすいことから、相対向する二辺、特に相対向する長辺に沿った枠体片６ａ，６ｃに光源ユニット７を内蔵させることが好ましい。
【図面の簡単な説明】
【００３３】
【図１】本発明に係る発光表示板の一例を示す斜視図である。
【図２】図１におけるＡ−Ａ拡大断面図である。
【図３】光源ユニットの斜視図である。
【図４】帯状バネを示す図で、（ａ）は平面図、（ｂ）は側面図である。
【符号の説明】
【００３４】
１  枠体
２  保護板
３  導光板
４  光拡散シート
５  反射シート
６ａ〜６ｈ  枠体片
７  光源ユニット
８  受光面
９  本体部
１０  開閉部
１１  基板
１２  発光ダイオード
１３  光源支持体
１４  凹部
１５  仕切り壁
１６  帯状バネ
１７  支持軸
１８  板バネ
【図１】
2009300897.tif 000003
【図２】
2009300897.tif 000004
【図３】
2009300897.tif 000005
【図４】
2009300897.tif 000006